【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  データを記憶するための複数の記憶ボリュームと、ある時点の後に、第１の前記記憶ボリュームに記憶される前記ある時点における前記データの更新要求を受信する手段と、前記更新要求の対象となった前記ある時点における前記データの複製を第２の前記記憶ボリュームに記憶する手段とを備え、
前記第２の記憶ボリュームの状態に応じて、前記更新要求の対象となった前記ある時点における前記データの複製を、第３の前記記憶ボリュームの未使用の記憶領域に記憶する手段
を備えることを特徴とするストレージ装置。
【請求項２】  請求項１に記載のストレージ装置において、
前記第２の記憶ボリュームの状態に応じて、前記更新要求の対象となった前記ある時点における前記データの複製を、前記第３の記憶ボリュームの未使用の記憶領域に記憶する前記手段は、
前記第２の記憶ボリュームの未使用の記憶領域の記憶容量が判定値よりも小さい場合に、前記更新要求の対象となった前記ある時点における前記データの複製を、前記第３の記憶ボリュームの未使用の記憶領域に記憶する手段であること
を特徴とするストレージ装置。
【請求項３】  請求項２に記載のストレージ装置において、
前記第２の記憶ボリュームの未使用の記憶領域の記憶容量をユーザインタフェースに表示する手段
を備えることを特徴とするストレージ装置。
【請求項４】  請求項２に記載のストレージ装置において、
前記第２の記憶ボリュームの未使用の記憶領域の記憶容量に応じて、ユーザインタフェースに警告を表示する手段
を備えることを特徴とするストレージ装置。
【請求項５】  請求項１に記載のストレージ装置において、
ユーザインタフェースから入力された前記第３の記憶ボリュームを指定するための情報に応じて、前記第３の記憶ボリュームを選定する手段
を備えることを特徴とするストレージ装置。
【請求項６】  請求項１に記載のストレージ装置において、
前記ストレージ装置が備える各前記記憶ボリュームの未使用の記憶領域の記憶容量に応じて、前記第３の記憶ボリュームを選定する手段
を備えることを特徴とするストレージ装置。
【請求項７】  請求項１に記載のストレージ装置において、
前記更新要求の対象となった前記ある時点における前記データの複製を前記第２の記憶ボリュームに記憶する前記手段は、
前記第２の記憶ボリュームの記憶領域のうち前記データの複製が記憶される記憶領域の部分を、前記データを記憶するための区画に区分する手段と、
前記区画に区分された前記記憶領域の部分に前記データの複製を書き込む手段と
であることを特徴とするストレージ装置。
【請求項８】  請求項１に記載のストレージ装置において、
前記第２の記憶ボリュームの状態に応じて、前記更新要求の対象となった前記ある時点における前記データの複製を、前記第３の記憶ボリュームの未使用の記憶領域に記憶する前記手段は、
前記第２の記憶ボリュームの状態に応じて、前記更新要求の対象となった前記ある時点における前記データの複製を、前記第３の記憶ボリュームの前記未使用の記憶領域のうちの前記データの複製が記憶される前記未使用の記憶領域の部分を、前記データを記憶するための区画に区分する手段と、
前記区画に区分された前記未使用の記憶領域の部分に前記データの複製を書き込む手段と
であることを特徴とするストレージ装置。
【請求項９】  データを記憶するための複数の記憶ボリュームを備えるストレージ装置の制御方法であって、
前記ストレージ装置が、ある時点の後に、第１の前記記憶ボリュームに記憶される前記ある時点における前記データの更新要求を受信するステップと、
前記ストレージ装置が、前記更新要求の対象となった前記ある時点における前記データの複製を第２の前記記憶ボリュームに記憶するステップと、
前記ストレージ装置が、前記第２の記憶ボリュームの状態に応じて、前記更新要求の対象となった前記ある時点における前記データの複製を、第３の前記記憶ボリュームの未使用の記憶領域に記憶するステップと
を備えることを特徴とするストレージ装置の制御方法。
【請求項１０】  請求項９に記載のストレージ装置の制御方法において、
前記ストレージ装置が、前記第２の記憶ボリュームの状態に応じて、前記更新要求の対象となった前記ある時点における前記データの複製を、前記第３の記憶ボリュームの未使用の記憶領域に記憶する前記ステップは、
前記ストレージ装置が、前記第２の記憶ボリュームの未使用の記憶領域の記憶容量が判定値よりも小さい場合に、前記更新要求の対象となった前記ある時点における前記データの複製を、前記第３の記憶ボリュームの未使用の記憶領域に記憶するステップであること
を特徴とするストレージ装置の制御方法。
【請求項１１】  請求項１０に記載のストレージ装置の制御方法において、
前記ストレージ装置が、前記第２の記憶ボリュームの未使用の記憶領域の記憶容量をユーザインタフェースに表示するステップ
を備えることを特徴とするストレージ装置の制御方法。
【請求項１２】  請求項１０に記載のストレージ装置の制御方法において、
前記ストレージ装置が、前記第２の記憶ボリュームの未使用の記憶領域の記憶容量に応じて、ユーザインタフェースに警告を表示するステップ
を備えることを特徴とするストレージ装置の制御方法。
【請求項１３】  請求項９に記載のストレージ装置の制御方法において、
前記ストレージ装置が、ユーザインタフェースから入力された前記第３の記憶ボリュームを指定するための情報に応じて、前記第３の記憶ボリュームを選定するステップ
を備えることを特徴とするストレージ装置の制御方法。
【請求項１４】  請求項９に記載のストレージ装置の制御方法において、
前記ストレージ装置が、前記ストレージ装置が備える各前記記憶ボリュームの未使用の記憶領域の記憶容量に応じて、前記第３の記憶ボリュームを選定するステップ
を備えることを特徴とするストレージ装置の制御方法。
【請求項１５】  請求項９に記載のストレージ装置の制御方法において、
前記ストレージ装置が、前記更新要求の対象となった前記ある時点における前記データの複製を前記第２の記憶ボリュームに記憶する前記ステップは、
前記ストレージ装置が、前記第２の記憶ボリュームの記憶領域のうち前記データの複製が記憶される記憶領域の部分を、前記データを記憶するための区画に区分するステップと、
前記ストレージ装置が、前記区画に区分された前記記憶領域の部分に前記データの複製を書き込むステップと
であることを特徴とするストレージ装置の制御方法。
【請求項１６】  請求項９に記載のストレージ装置の制御方法において、
前記ストレージ装置が、前記第２の記憶ボリュームの状態に応じて、前記更新要求の対象となった前記ある時点における前記データの複製を、前記第３の記憶ボリュームの未使用の記憶領域に記憶する前記ステップは、
前記ストレージ装置が、前記第２の記憶ボリュームの状態に応じて、前記更新要求の対象となった前記ある時点における前記データの複製を、前記第３の記憶ボリュームの前記未使用の記憶領域のうちの前記データの複製が記憶される前記未使用の記憶領域の部分を、前記データを記憶するための区画に区分するステップと、
前記ストレージ装置が、前記区画に区分された前記未使用の記憶領域の部分に前記データの複製を書き込むステップと
であることを特徴とするストレージ装置の制御方法。
【請求項１７】  データを記憶するための第１、第２、及び第３の記憶ボリュームと、
仮想的な記憶ボリュームと、
制御装置と、
を備えるストレージ装置であって、
前記制御装置は、
情報処理装置から、ある時点の後に、前記第１の記憶ボリュームに記憶される前記ある時点におけるデータの更新要求を受信する手段と、
前記ある時点における更新前の前記データの複製を前記第２の記憶ボリュームに記憶する手段と、
前記第２の記憶ボリュームの状態に応じて、前記ある時点における更新前の前記データの複製を、前記第３の記憶ボリュームの未使用の記憶領域に記憶する手段と、
前記第１、第２、第３の記憶ボリュームと前記仮想的な記憶ボリュームとの間の対応付けを管理または制御し、前記情報処理装置からデータ入出力要求があった場合に、前記対応付けを参照することにより、前記第１、第２、第３の記憶ボリュームのうちのどれにアクセスすべきかを制御するメモリ制御装置と、
を備えることを特徴とするストレージ装置。
【請求項１８】  データを記憶するための第１、第２、及び第３の記憶ボリュームを備えるストレージ装置の制御方法であって、
前記ストレージ装置が、情報処理装置から、ある時点の後に、前記第１の記憶ボリュームに記憶される前記ある時点におけるデータの更新要求を受信し、
前記ストレージ装置が、前記ある時点における更新前の前記データの複製を前記第２の記憶ボリュームに記憶し、
前記ストレージ装置が、前記第２の記憶ボリュームの状態に応じて、前記ある時点における更新前の前記データの複製を、前記第３の記憶ボリュームの未使用の記憶領域に記憶し、
前記ストレージ装置が、前記第１、第２、第３の記憶ボリュームと前記ストレージ装置が仮想的に備える仮想的な記憶ボリュームとの間の対応付けを管理または制御し、
前記ストレージ装置が、前記情報処理装置からデータ入出力要求があった場合に、前記対応付けを参照することにより、前記第１、第２、第３の記憶ボリュームのうちのどれにアクセスすべきかを制御する
ストレージ装置の制御方法。